(57)【特許請求の範囲】
【請求項１】
映像信号の表示機能と前記映像信号の通信機能とを有する画像処理装置であって、
前記映像信号を形成する輝度信号の利得を自動制御する手段と、
前記映像信号を形成するクロマ信号の利得及び色相を調整する手段と、
前記映像信号から形成される３原色信号のγ補正を行う手段と、
輝度信号とクロマ信号を形成する２つの色差信号とのサンプリング周波数の比率が第１の比率である第１の映像信号について前記各手段の補正値を設定する第１の設定手段と、
輝度信号とクロマ信号を形成する２つの色差信号とのサンプリング周波数の比率が前記第１の比率より小さい第２の映像信号について前記各手段の補正値を設定する第２の設定手段とが設けられ、
前記通信機能を通じて供給された映像信号を表示する際には、
前記第２の設定手段を用いて、
前記クロマ信号の利得及び色相を調整する手段での前記クロマ信号の利得を前記第１の設定手段での設定より低くし、前記３原色信号のγ補正を行う手段でのγ曲線を前記第１の設定手段での設定より高輝度側に移動するように前記各手段の補正値を設定する
ことを特徴とする画像処理装置。
【請求項２】
前記通信機能を通じて供給された映像信号を前記表示機能で表示する際には、
前記第２の設定手段により、
前記輝度信号の利得を自動制御する手段での利得の自動制御を停止する
ことを特徴とする請求項１記載の画像処理装置。
【発明の詳細な説明】
【０００１】
【発明の属する技術分野】
本発明は、例えば通信機能を有し、撮影された映像信号のインターネットを通じた通信を可能とした映像通信機器に使用して好適な画像処理装置に関する。詳しくは、撮影された映像信号と通信される映像信号との特性の違いを修正して、どちらの映像信号に対しても良好な表示を行うことができるようにするものである。
【０００２】
【従来の技術】
例えばデジタルビデオカメラで撮影された映像信号を、例えばインターネットを通じて通信できるようにした映像通信機器に用いられる画像処理装置が実施されている。このような画像処理装置においては、デジタルビデオカメラ等で撮影された映像信号と、インターネット等を通じて通信される映像信号とを表示パネル等に表示する際に、輝度信号の利得の制御やクロマ信号の利得及び色相の調整、さらにγ補正のための処理等が行われるものである。
【０００３】
【発明が解決しようとする課題】
ところが、例えばインターネットを通じて通信される映像信号は、アナログ信号からデジタルに変換する際のサンプリング周波数の比率が、輝度信号（Ｙ）は３．３７５〔ＭＨｚ〕の４倍であるのに対して、２つの色差信号（ＣR 、ＣB ）は１倍の、いわゆる４：１：１とされている。これは標準の映像信号のデジタル変換に用いられる４：２：２の比率に比べ色差信号の解像度が低いものであり、このため表示される画像に色滲みなどの障害が発生するものである。
【０００４】
すなわち図７において、例えば「と」の文字と背景とがそれぞれ別の色に着色されていた場合には、文字と背景との境界の部分の色が互いに滲み出て、本来は図７のＡに示すように表示されるべきものが、図７のＢのような相互の色が滲み出た表示になってしまう。このため色が濃く文字の画数が多い場合には判読が困難になる場合が生じる。このような障害は、特に表示パネルの形状が小さい場合には顕著であり、商品価値を損なう恐れが生じるものである。
【０００５】
また、例えば図８のようないわゆるメニュー画面で、送信（Ｓｅｎｄ）と受信（Ｒｅｃｅｉｖｅ）とアドレス（Ａｄｄｒｅｓｓ）の画像を相互に切り替えて表示する場合に、通常の映像信号の表示では輝度信号の利得を自動制御する手段が働くために切り替え時に色の濃さが一瞬変化し、不自然な印象を使用者に与える恐れがある。すなわちこのようなメニュー画面は本来は安定に表示されるものであり、このような安定な表示が変化することは不自然な印象になる。
【０００６】
この出願はこのような点に鑑みて成されたものであって、解決しようとする問題点は、従来の装置では、例えばインターネットを通じて通信される映像信号を表示する場合に画像に色滲みなどの障害が発生し、またいわゆるメニュー画面等で画像の切り替え時に色の濃さが一瞬変化して不自然な印象を使用者に与えるなどの恐れがあったというものである。
【０００７】
【課題を解決するための手段】
このため本発明においては、少なくとも映像信号を形成する輝度信号及びクロマ信号の利得を制御する手段とγ補正を行う手段とを有し、標準とは異なる特性の映像信号については各手段の補正値を標準とは異なる値に設定するようにしたものであって、これによれば、例えばインターネットを通じた映像信号の表示を行う場合に、標準及び通信される映像信号の特性の違いを修正して、どちらの映像信号に対しても良好な表示を行うことができる。
【０００８】
【発明の実施の形態】
すなわち本発明においては、映像信号の表示機能と映像信号の通信機能とを有する画像処理装置であって、映像信号を形成する輝度信号の利得を自動制御する手段と、映像信号を形成するクロマ信号の利得及び色相を調整する手段と、映像信号から形成される３原色信号のγ補正を行う手段と、少なくとも標準の映像信号について各手段の補正値を設定する第１の設定手段と、標準とは異なる特性の映像信号について各手段の補正値を設定する第２の設定手段とが設けられ、通信機能を通じて供給された映像信号を表示する際には第２の設定手段を用いて各手段の補正値を設定してなるものである。
【０００９】
以下、図面を参照して本発明を説明するに、図１は本発明を適用した画像処理装置の一実施形態の構成を示すブロック図である。
【００１０】
図１において、入力端子１には映像信号を形成するデジタル輝度信号が供給される。この入力端子１からの輝度信号が、輝度信号の飽和を検出する輝度飽和検出（ＹＺＲＤ）回路２を通じて輝度信号の自動利得制御（ＹＡＧＣ）回路３に供給される。この自動利得制御回路３では、入力された輝度信号が乗算器３１に供給されると共に、検波器３２で検波された信号が利得設定手段３３を通じて乗算器３１に供給されて輝度信号の自動利得制御が行われる。
【００１１】
また、入力端子４には映像信号を形成するデジタルクロマ信号が供給される。この入力端子４からのクロマ信号が、クロマ信号の利得及び色相を調整するクロマ信号調整（ＣＨＩＳ）回路５に供給される。このクロマ信号調整回路５では、入力されたクロマ信号が輝度信号との遅延量を補正する遅延補正手段５１を通じて色相補正手段５２に供給され、この色相補正手段５２で２つの色差信号が分離されて利得制御アンプ５３を通じて取り出される。
【００１２】
このクロマ信号調整回路５からのクロマ信号が同期信号及びブランキング信号の挿入及び画面表示のための信号挿入（ＣＧＳＷ）回路６に供給される。また上述の自動利得制御回路３からの輝度信号が、輝度信号のコントラスト等を補正する自動ピクチャーコントロール（ＡＰＣ）回路７を通じて信号挿入回路６に供給される。この信号挿入回路７からの輝度信号及びクロマ信号（２つの色差信号）がマトリクス回路８に供給されて３原色信号が取り出される。
【００１３】
さらに３原色信号がγ補正回路９に供給される。このγ補正回路９では、例えば３原色信号のそれぞれについて、元の信号が加算器９１に供給されると共に、利得とその利得を切り替えるレベルをそれぞれ異なる位置で設定可能にしたγ１回路９２及びγ２回路９３を通じた信号が加算器９１に供給される。これによって補正曲線を２か所で可変としたγ補正が行われ、この補正信号が白レベル制限（ＷＨＬｉｍ）回路９４を通じて取り出される。
【００１４】
このγ補正回路９からの３原色信号が、それぞれデジタル信号の利得制御（ＤＡＧＣ）回路１０を通じて、表示パネル（図示せず）に信号を供給するための例えば３チャンネルのデジタル・アナログ変換（ＤＡＣ）回路１１に供給される。このようにして、入力端子１、４に供給されたデジタル輝度信号及びクロマ信号が、利得制御や色相調整、γ補正等をされて表示パネルに信号を供給するためのデジタル・アナログ変換回路１１から取り出される。
【００１５】
そしてこの装置において、輝度信号の自動利得制御（ＹＡＧＣ）回路３、クロマ信号の利得及び色相を調整するクロマ信号調整（ＣＨＩＳ）回路５、及びγ補正回路９に対する制御、調整及び補正に係わる値の設定が、信号ライン１２Ａ〜Ｃを通じて例えば以下に述べるように行われる。
【００１６】
すなわち図２において、例えば映像信号の垂直同期期間ごとに信号ライン１２Ａには例えば図２のＡに示すようなクロック信号ＳＣＫが供給され、信号ライン１２Ｂには例えば図２のＢに示すようなデータ信号ＳＩが供給される。また信号ライン１２Ｃには例えば図２のＣに示すような制御信号ＣＳが供給される。そしてデータ信号ＳＩにはクロック信号ＳＣＫごとに８ビットが設けられ、制御信号ＣＳの低電位期間にそれぞれの制御データが各回路３、５、９に設定される。
【００１７】
さらにデータ信号ＳＩに設けられる制御データは、例えば垂直同期信号を起点としてデータＤ１、Ｄ２・・・が順番に設けられ、例えばこの内データＤ２０〜Ｄ３４が上述の各回路３、５、９の設定に用いられる。従って各回路３、５、９では、それぞれ垂直同期信号を起点としてクロック信号ＳＣＫがカウントされ、そのカウント値に応じてデータＤ２０〜Ｄ３４が取り込まれて、各回路３、５、９の設定が行われるものである。
【００１８】
そしてこれらのデータＤ２０〜Ｄ３４には、それぞれ図３の表に示すような設定値が設けられる。すなわち図３において、データＤ２０のビット０〜７には輝度信号の利得の設定値が設けられる。また、データＤ２１のビット０〜７には輝度信号の明るさの可変値が設けられる。さらにデータＤ２２のビット０〜３には利得制御のリミッターの設定値が設けられ、ビット４〜７には利得制御の下側検波レベルの設定値が設けられる。
【００１９】
また、データＤ２３のビット０〜４には利得制御レベルの設定値が設けられ、ビット５〜７には利得制御の上側検波レベルの設定値が設けられる。さらにデータＤ２４のビット０〜５にはクロマのＣR 信号の利得の設定値が設けられ、ビット６にはアパーチャー補正の周波数ｆ0 の切り替え、ビット７には利得制御の傾きの切り変えの制御ビットが設けられる。またデータＤ２５のビット０〜５にはクロマのＣB 信号の利得の設定値が設けられる。
【００２０】
さらにデータＤ２６のビット０〜５にはクロマのＣR 信号の色相の設定値と、ビット０〜５にクロマのＣB 信号の色相の設定値及びビット７に利得制御の４垂直期間（４Ｖ）平均検波のオン／オフの制御ビットとが交互に設けられる。またデータＤ２７のビット０〜６及びデータＤ２８のビット０〜５にはγ補正の上側及び下側折れ点の設定値が設けられ、データＤ２９のビット０〜５及びデータＤ３０のビット０〜５にはγ補正の上側及び下側利得の設定値が設けられる。
【００２１】
また、データＤ３１のビット０〜３にはアパーチャー補正の利得の設定値が設けられる。さらにデータＤ３２のビット０〜４にはγ補正の白レベル制限の設定値が設けられる。そしてデータＤ３３のビット０〜３にはユーザー制御の明るさの低側、ビット４〜７には高側の設定値が設けられる。さらにデータＤ３４のビット０〜３にはユーザー制御のクロマ信号の低側、ビット４〜７には高側の設定値が設けられる。
【００２２】
さらにこれらのデータの値は、例えば予めＥＥＰＲＯＭ等からなる設定手段に記憶された値が、順次垂直同期期間を起点としてクロック信号ＳＣＫに従って読み出され、データ信号ＳＩのデータＤ２０〜Ｄ３４として信号ライン１２Ｂに送りだされるものである。そして標準の映像信号に対しては、例えば図３のＡ欄に示すような値が例えばＥＥＰＲＯＭのページＣアドレスＤ１〜Ｅ０に記憶され、これらの値が順次読み出されて設定が行われる。
【００２３】
これに対して、例えば通信によって供給される映像信号に対しては、例えば図３のＢ欄に示すような値が例えばＥＥＰＲＯＭのページ８アドレス９Ａ〜Ａ２に記憶される。ただしこの場合にアドレスが空欄の値は、標準及び通信の映像信号で設定値が変わらないものである。またＡ欄とＢ欄とで値が同じになっている項目は、今回の実施形態では変えていないが必要に応じて変えることができるものである。そしてこれらの値が順次読み出されて設定が行われる。
【００２４】
そして例えば通信によって供給される映像信号に対しては、標準の映像信号と同様に例えばＥＥＰＲＯＭのページＣアドレスＤ１〜Ｅ０の値が順次読み出されて設定が行われるが、予め指定された項目に関しては図中〔→〕で示すように、ページ８アドレス９Ａ〜Ａ２の値が読み出されて設定が行われる。すなわちデータＤ２０、Ｄ２２〜Ｄ２５及びＤ２７〜Ｄ３０に関してはそれぞれページ８アドレス９Ａ〜Ａ２の値が読み出されて設定が行われるものである。
【００２５】
このようにして、例えば標準の映像信号と通信によって供給される映像信号とに対して、それぞれの設定手段（例えばＥＥＰＲＯＭのページ８アドレス９Ａ〜Ａ２と、ページＣアドレスＤ１〜Ｅ０）に記憶された値が読み出されてそれぞれ適当な設定を行うことができる。そしてこれらの設定によってそれぞれの映像信号の特性の違いを修正し、どちらの映像信号に対しても良好な表示を行うことができるようになるものである。
【００２６】
さらに具体的には、例えば図１のγ補正回路９の構成は図４に示すようになっている。なお、図４の回路構成は周知のものであるので詳細な説明は割愛する。すなわちこの回路において、例えば図５のＡに示すような入力信号が供給されると、図５のＢに示すような出力信号が取り出されるものである。そして例えば上述のデータＤ２７、Ｄ２９の値を変化させることにより、図４に太線の矢印で示すγ１レベルとγ１利得の値が任意に設定される。
【００２７】
このようにしてγ補正の特性を変化させることができる。そしてこの場合に、図５のＢに破線▲１▼、▲２▼で示すようにγ補正の特性が変化される。ここでγ補正の特性を例えば破線▲１▼のように高輝度側に移動した場合には、画面全体が明るくなって色滲みの発生が目立たなくなる。またクロマ信号調整（ＣＨＩＳ）回路５でのクロマ信号の利得を低くすることによって、色滲みの発生をさらに目立たなくすることができるものである。
【００２８】
すなわち従来の装置では、例えば文字と背景とがそれぞれ別の色に着色されていた場合には、文字と背景との境界の部分の色が互いに滲み出て、このため色が濃く文字の画数が多い場合には判読が困難になる場合が生じていたが、そのような事態を解消することができる。そしてこのような障害は、特に表示パネルの形状が小さい場合には顕著なものであったが、これを解消することにより、これらの商品価値を向上させることができるものである。
【００２９】
また、図１の自動利得制御（ＹＡＧＣ）回路３の構成は図６に示すようになっている。なお、図６の回路構成は周知のものであるので詳細な説明は割愛する。この回路においては、例えば上述のデータＤ２３の利得制御レベルの設定値によって、図６に太線の矢印で示す自動利得制御レベルが０〜２倍に設定される。そしてこの設定値が、例えば０倍とされることによって自動利得制御（ＹＡＧＣ）回路３の利得制御がオフにされる。
【００３０】
このようにして輝度信号の自動利得制御のレベルを変化させることができる。そしてこの場合に、例えば利得制御がオフにされることによって、いわゆるメニュー画面等で画像を相互に切り替えて表示するような場合にも、自動利得制御手段が働いて切り替え時に色の濃さが一瞬変化し、不自然な印象を使用者に与える恐れを解消することができ、不自然さの解消によって商品価値を向上させることができるものである。
【００３１】
従ってこの実施形態において、少なくとも映像信号を形成する輝度信号及びクロマ信号の利得を制御する手段とγ補正を行う手段とを有し、標準とは異なる特性の映像信号については各手段の補正値を標準とは異なる値に設定するようにしたことによって、例えばインターネットを通じた映像信号の表示を行う場合に、標準及び通信される映像信号の特性の違いを修正して、どちらの映像信号に対しても良好な表示を行うことができる。
【００３２】
これによって、従来の装置では、例えばインターネットを通じて通信される映像信号を表示する場合に画像に色滲みなどの障害が発生し、またいわゆるメニュー画面等で画像の切り替え時に色の濃さが一瞬変化して不自然な印象を使用者に与えるなどの恐れがあったものを、本発明によればこれらの問題点を容易に解消することができるものである。
【００３３】
すなわち上述の実施形態においては、例えばインターネットを通じて通信される輝度信号（Ｙ）と２つの色差信号（ＣR 、ＣB ）の比率が４：１：１の映像信号と、標準の４：２：２の映像信号とを表示パネル等に表示する際に、表示に伴う輝度信号の利得の制御やクロマ信号の利得及び色相の調整、さらにγ補正のための処理等について、映像信号の特性の違いを修正することにより、どちらの映像信号に対しても良好な表示を行うことができるようにするものである。
【００３４】
こうして上述の画像処理装置によれば、映像信号の表示機能と映像信号の通信機能とを有する画像処理装置であって、映像信号を形成する輝度信号の利得を自動制御する手段と、映像信号を形成するクロマ信号の利得及び色相を調整する手段と、映像信号から形成される３原色信号のγ補正を行う手段と、少なくとも標準の映像信号について各手段の補正値を設定する第１の設定手段と、標準とは異なる特性の映像信号について各手段の補正値を設定する第２の設定手段とが設けられ、通信機能を通じて供給された映像信号を表示する際には第２の設定手段を用いて各手段の補正値を設定することにより、例えばインターネットを通じた映像信号の表示を行う場合に、標準及び通信される映像信号の特性の違いを修正して、どちらの映像信号に対しても良好な表示を行うことができるものである。
【００３５】
なお本発明は、上述の説明した実施の形態に限定されるものではなく、本発明の精神を逸脱することなく種々の変形が可能とされるものである。
【００３６】
【発明の効果】
従って請求項１の発明によれば、映像信号の表示機能と前記映像信号の通信機能とを有する画像処理装置であって、映像信号を形成する輝度信号の利得を自動制御する手段と、
映像信号を形成するクロマ信号の利得及び色相を調整する手段と、映像信号から形成される３原色信号のγ補正を行う手段と、輝度信号とクロマ信号を形成する２つの色差信号とのサンプリング周波数の比率が第１の比率である第１の映像信号について各手段の補正値を設定する第１の設定手段と、輝度信号とクロマ信号を形成する２つの色差信号とのサンプリング周波数の比率が第１の比率より小さい第２の映像信号について各手段の補正値を設定する第２の設定手段とが設けられ、通信機能を通じて供給された映像信号を表示する際には、第２の設定手段を用いて、クロマ信号の利得及び色相を調整する手段でのクロマ信号の利得を第１の設定手段での設定より低くし、３原色信号のγ補正を行う手段でのγ曲線を第１の設定手段での設定より高輝度側に移動するように各手段の補正値を設定するようにしたことによって、例えばインターネットを通じた映像信号の表示を行う場合に、標準及び通信される映像信号の特性の違いを修正して、どちらの映像信号に対しても良好な表示を行うことができ、特に色滲みの発生を目立たなくすることができるものである。
【００３８】
さらに請求項２の発明によれば、通信機能を通じて供給された映像信号を表示機能で表示する際には、第２の設定手段により、輝度信号の利得を自動制御する手段での利得の自動制御を停止することによって、不自然な印象を使用者に与える恐れを解消することができるものである。
【００３９】
これによって、従来の装置では、例えばインターネットを通じて通信される映像信号を表示する場合に画像に色滲みなどの障害が発生し、またいわゆるメニュー画面等で画像の切り替え時に色の濃さが一瞬変化して不自然な印象を使用者に与えるなどの恐れがあったものを、本発明によればこれらの問題点を容易に解消することができるものである。
【図面の簡単な説明】
【図１】本発明の適用される画像処理装置の一実施形態の構成を示すブロック図である。
【図２】その動作の説明のための線図である。
【図３】その説明のための表図である。
【図４】本発明の適用される画像処理装置の要部の具体的な回路構成図である。
【図５】その動作の説明のための図である。
【図６】本発明の適用される画像処理装置の要部の具体的な回路構成図である。
【図７】従来の技術の説明のための図である。
【図８】従来の技術の説明のための図である。
【符号の説明】
１…輝度信号の入力端子、２…輝度飽和検出（ＹＺＲＤ）回路、３…輝度信号の自動利得制御（ＹＡＧＣ）回路、３１…乗算器、３２…検波器、３３…利得設定手段、４…クロマ信号の入力端子、５…クロマ信号調整（ＣＨＩＳ）回路、５１…遅延補正手段、５２…色相補正手段、５３…利得制御アンプ、６…信号挿入（ＣＧＳＷ）回路、７…自動ピクチャーコントロール（ＡＰＣ）回路、８…マトリクス回路、９…γ補正回路、９１…加算器、９２…γ１回路、９３…γ２回路、９４…白レベル制限（ＷＨＬｉｍ）回路、１０…デジタル信号の利得制御（ＤＡＧＣ）回路、１１…デジタル・アナログ変換回路、１２Ａ〜Ｃ…信号ライン
【図１】
0003903772.tif 000002
【図２】
0003903772.tif 000003
【図３】
0003903772.tif 000004
【図４】
0003903772.tif 000005
【図５】
0003903772.tif 000006
【図６】
0003903772.tif 000007
【図７】
0003903772.tif 000008
【図８】
0003903772.tif 000009